(57)【要約】ニュースサーバーによって提供されるニュースとブログサーバーによって提供されるブログとを相互連動させるニュース及びブログ相互間のトラックバック連動方法を開示する。本発明は、ニュースサーバーがニュースサーバーに接続された使用者端末に所定のニュース本文を提供する段階と；ニュースサーバーが、使用者端末からニュース本文に対するニュースコメントが作成されるブログに対する選択要請を受信する段階と；ニュースサーバーがブログサーバーを通して選択要請されたブログを活性化させる段階と；ブログサーバーが使用者端末によって作成されるニュースコメントを受信し、これをブログ掲示物として登録する段階と；ブログサーバーが使用者端末からニュースコメントに対するトラックバック要請を受信し、ニュースサーバーにトラックバックを要請する段階と；ニュースサーバーがニュースコメントをニュース掲示板に登録する段階と；を含む。【選択図】図１
2009524144.tif 000002
【特許請求の範囲】
【請求項１】
ニュースサーバーによって提供されるニュースとブログサーバーによって提供されるブログとを相互連動させるニュース及びブログ相互間のトラックバック連動方法であって、
前記ニュースサーバーが前記ニュースサーバーに接続された使用者端末に所定のニュース本文を提供する段階と；
前記ニュースサーバーが、前記使用者端末から前記ニュース本文に対するニュースコメントが作成されるブログに対する選択要請を受信する段階と；
前記ニュースサーバーが前記ブログサーバーを通して前記選択要請されたブログを活性化させる段階と；
前記ブログサーバーが前記使用者端末によって作成される前記ニュースコメントを受信し、これをブログ掲示物として登録する段階と；
前記ブログサーバーが前記使用者端末から前記ニュースコメントに対するトラックバック要請を受信し、前記ニュースサーバーにトラックバックを要請する段階と；
前記ニュースサーバーが前記ニュースコメントをニュース掲示板に登録する段階と；
を含むことを特徴とするニュース及びブログ相互間のトラックバック連動方法。
【請求項２】
前記ニュースサーバーが、前記使用者端末から前記ニュース掲示板に登録されたニュースコメントのうち何れか一つに対する選択要請を受信する段階と；
選択された前記ニュースコメントが前記ブログからトラックバックされた場合、前記ニュースサーバーが、前記ブログサーバーを通して前記ニュースコメントが登録された前記ブログ掲示物を活性化する段階と；をさらに含むことを特徴とする請求項１に記載のニュース及びブログ相互間のトラックバック連動方法。
【請求項３】
前記使用者端末に前記ニュース本文を提供する段階で、前記ニュースサーバーが、前記ニュース本文のＵＲＬ情報を前記ニュース本文と一緒に前記使用者端末に提供し、
前記ニュースコメント受信段階で、前記ブログサーバーが、前記使用者端末から前記ニュース本文に対するコメント受信時に前記ニュース本文のＵＲＬ情報も一緒に受信し、
前記トラックバック要請段階で、前記トラックバック要請時、前記ブログサーバーが前記ニュースサーバーに前記ニュース本文のＵＲＬ情報と前記ニュースコメントを一緒に伝送し、
前記ニュースコメントを前記ニュース掲示板に登録する段階で、前記ニュースサーバーが前記ニュース本文のＵＲＬ情報によって前記ニュースコメントを該当ニュース本文の掲示板に登録することを特徴とする請求項１または２に記載のニュース及びブログ相互間のトラックバック連動方法。
【請求項４】
前記ニュースコメントを前記ニュース掲示板に登録する段階以後に、
前記ニュースサーバーが前記ブログサーバーに前記ニュース本文のテキストまたは前記ニュース本文のＵＲＬ情報を伝送する段階と；
前記ブログサーバーが前記ブログ掲示物に前記ニュース本文のテキストまたは前記ニュース本文のＵＲＬ情報に接続可能なリンク情報を一緒に登録する段階と；をさらに含むことを特徴とする請求項１または２に記載のニュース及びブログ相互間のトラックバック連動方法。
【請求項５】
前記ニュースサーバーが、前記使用者端末から前記ニュースコメントがトラックバックされる前記ブログのＵＲＬ情報を含む指定ブログ情報の登録を受ける段階をさらに含み、
前記選択要請されたブログ活性段階で、前記ブログサーバーが前記選択要請されたブログを活性化させる場合、前記指定ブログ情報によって前記ブログを活性化させることを特徴とする請求項１または２に記載のニュース及びブログ相互間のトラックバック連動方法。
【請求項６】
ニュースサーバーによって提供されるニュースとブログサーバーによって提供されるブログを相互連動させるニュース及びブログ相互間のトラックバック連動方法であって、
前記ニュースサーバーが前記ニュースサーバーに接続された使用者端末に所定のニュース本文を提供する段階と；
前記ニュースサーバーが前記使用者端末に前記ニュース本文に対するコメント作成のためのニュースコメント入力インターフェースを提供する段階と；
前記ニュースサーバーが前記ニュースコメント入力インターフェースによって入力される前記ニュースコメントを受信し、これをニュース掲示板に登録する段階と；
前記使用者端末から前記ニュースコメントに対するトラックバック要請が受信される場合、前記ニュースコメントを予め前記使用者端末によって登録された所定のブログにトラックバックするために、前記ニュースサーバーが前記ブログサーバーにトラックバックを要請する段階と；
前記ブログサーバーが前記トラックバックされたニュースコメントを前記ブログの掲示物として登録する段階と；を含むことを特徴とするニュース及びブログ相互間のトラックバック連動方法。
【請求項７】
前記ニュースコメントをトラックバックするために、予め前記使用者端末によって登録される前記所定ブログが複数個で構成され、
前記ニュースコメントの受信段階で、前記ニュースサーバーが、前記ニュースコメント受信時に前記使用者端末から前記複数個のブログのうち前記ニュースコメントがトラックバックされる何れか一つのブログに対する選択要請を一緒に受信し、
前記トラックバック要請段階で、前記ニュースサーバーが前記ニュースコメントを前記選択されたブログにトラックバックするために前記ブログサーバーにトラックバックを要請し、
前記ニュースコメントを前記ブログ掲示物として登録する段階で、前記ブログサーバーが前記ニュースコメントを前記選択されたブログの掲示物として登録することを特徴とする請求項６に記載のニュース及びブログ相互間のトラックバック連動方法。
【請求項８】
前記ニュースサーバーが前記ブログサーバーから前記ブログのカテゴリーリスト及び公開権限リストの提供を受ける段階をさらに含み、
前記ニュースコメント受信段階で、前記ニュースサーバーは、前記使用者端末から前記カテゴリーリスト及び公開権限リストのうち前記ニュースコメントがトラックバックされるカテゴリー及び前記ニュースコメントの公開権限に対する選択要請を一緒に受信し、前記トラックバック要請段階で、前記ニュースサーバーが、前記ブログサーバーに前記選択されたカテゴリー及び公開権限をさらに含んでトラックバックを要請し、
前記ニュースコメントを前記ブログ掲示物として登録する段階で、前記ブログサーバーが、前記選択されたカテゴリー及び公開権限によって前記ニュースコメントを前記ブログ掲示物として掲示することを特徴とする請求項６または７に記載のニュース及びブログ相互間のトラックバック連動方法。
【請求項９】
前記ニュースコメント受信段階で、前記ニュースサーバーは、前記使用者端末からの前記ニュース本文を作成した記者のブログへのトラックバック要請を受信するかどうかを判断し、前記記者ブログへのトラックバック要請を受信する場合、前記記者ブログを提供するブログサーバーに前記ニュースコメントのトラックバックを要請することを特徴とする請求項６または７に記載のニュース及びブログ相互間のトラックバック連動方法。
【請求項１０】
前記ニュースコメント受信段階で、前記ニュースサーバーは、前記使用者端末から前記ニュースコメントの受信時に前記ニュース本文に対するニュース評価を一緒に受信し、前記受信されたニュース評価を前記ニュースコメントと一緒に登録することを特徴とする請求項６または７に記載のニュース及びブログ相互間のトラックバック連動方法。
【請求項１１】
ニュース及びブログ相互間のトラックバックが可能なニュースサーバーであって、
前記ニュースサーバーに接続される使用者端末にニュース本文を提供するニュース本文提供手段と；
前記使用者端末から前記ニュース本文に対するニュースコメントの入力を受け、入力された前記ニュースコメントを前記使用者端末に提供するニュースコメント提供手段と；
ブログサーバーからトラックバックされたブログ掲示物を前記ニュースコメント提供手段に登録するトラックバック連動手段と；を含むことを特徴とするニュース及びブログ相互間のトラックバックが可能なニュースサーバー。
【請求項１２】
前記ニュースコメント提供手段は、前記使用者端末においてトラックバックのターゲットとして登録されているブログ掲示物に対する前記ニュースコメントが選択された際に、前記ブログ掲示物をアクティブにすることを特徴とする請求項１１に記載のニュース及びブログ相互間のトラックバックが可能なニュースサーバー。
【請求項１３】
前記ニュース本文提供手段は、前記ニュース本文のＵＲＬ情報を含むニュース本文トラックバック情報をさらに提供することを特徴とする請求項１１または１２に記載のニュース及びブログ相互間のトラックバックが可能なニュースサーバー。
【請求項１４】
前記トラックバック連動手段は、前記ブログサーバーからトラックバックが要請された場合、該当のブログサーバーに前記ニュース本文のテキストまたは前記ニュース本文のＵＲＬ情報を伝送することを特徴とする請求項１１または１２に記載のニュース及びブログ相互間のトラックバックが可能なニュースサーバー。
【請求項１５】
前記ニュースサーバーは、前記ニュースコメントとトラックバック連動される前記ブログのＵＲＬ情報を含む指定ブログ情報が登録される使用者情報データベースと；
前記使用者端末が前記ニュースコメントの入力を要請する場合、前記指定ブログ情報によって前記ブログを活性化させるブログ活性化手段と；をさらに含むことを特徴とする請求項１１または１２に記載のニュース及びブログ相互間のトラックバックが可能なニュースサーバー。
【発明の詳細な説明】
【技術分野】
【０００１】
本発明は、ニュース及びブログ相互間のトラックバックが可能なニュースサーバー及び相互間連動方法に関するものである。
【背景技術】
【０００２】
インターネット技術の発展によって、インターネット通信網を用いたニュースサービス及びブログサービスが活発に用いられている。従来のインターネットを通したニュースサービスは、単純に新聞記事などをインターネットを通して使用者に提供する程度に過ぎなかった。しかし、最近には、特定の記事ごとに、使用者がその記事に対するフィードバックをコメントを通して残し、ニュースサービスは、これを掲示板または目録の形態で他のニュースサービス接続者に提供することで、単純にニュースを伝達するだけでなく、ニュースに対する読者の評価及び意見などを使用者の間で容易に共有するようになり、使用者は、世論の行方を把握することができ、他の使用者とニュースに対する討論を進行することができる。
【０００３】
ブログサービスは、ウェブ（ｗｅｂ）とログ（ｌｏｇ）の合成語であるウェブログ（ｗｅｂｌｏｇ）の略語として、個人が運営するウェブページを提供するサービスを意味する。特に、ブログは、使用者が自ら運営する１人メディアとして機能し、使用者が単純に情報の需要者でない情報の提供者として個人化されたメディアを構築できるという点で、ブログ使用者が漸次的に増加しつつある。一般的なブログサービスは、ブログ運営者がブログ掲示物を掲示すると、他の使用者がブログ掲示物を読み、これに対するコメントを残す方式である。
【０００４】
一方、ブログサービスの発展と伴い、ブログのコメントの改善案としてトラックバック（ｔｒａｃｋｂａｃｋ）機能を追加している。既存のコメントが該当のブログ掲示物のみに残される反面、トラックバックは、該当のブログ掲示物だけでなく、他のブログ掲示物にもコメントが残されるようにする。一例として、Ａというブログの掲示物にコメントを残す場合、Ａブログでない自身が運営するＢブログのブログ掲示物を作成し、Ａブログをトラックバックアドレスとして設定すると、Ｂブログのブログ掲示物の一部がＡブログの該当のブログ掲示物に掲示される。すなわち、トラックバック機能は、互いに異なる二つのブログ間にコメントを通してリンクをかけることで、特定の主題に対する相互作用を高める役割を行い、ネットワーク上の情報及び思想の共有を一層円滑に導き出す。
【０００５】
しかしながら、ニュースサービスは、多数の使用者によってコメントが作成されるので、一人による過度な意見陳述を防止するために、コメント作成時に一定の文字数制限が加えられる。その結果、使用者は、コメントを通したより深度ある意見陳述が難しく、多数の使用者が多くのコメントを登録する場合、自身が作成したコメントが速い速度で後方に押し出されるようになり、同じ主題に対する他の使用者との連続的な討論進行が難しく、自身が作成したコメントに対する管理及び統計が不可能であるという問題があった。
【０００６】
また、ブログ運営者の立場では、自身のブログ主題と一致するニュースに対してより多くの情報を他のニュースサービス使用者に伝達する場合、単純に自身のブログのＵＲＬアドレスのみをコメントとして残すが、このような方法によると、自身のブログに使用者を直ぐに誘引するのでなく、他の使用者が前記ＵＲＬアドレスを複写した後、ウェブブラウザに貼り付けをする不便な方法で自身のブログに接続すべきであるので、誘引効果が落ちるという問題があった。
【０００７】
最後に、ニュースサービスに対するコメントの場合、作成の一回性とネットワーク上の匿名性のために、無責任な悪口または誹謗によって健全な討論が難しいという問題があった。
【発明の開示】
【発明が解決しようとする課題】
【０００８】
本発明は、上記のような問題を解決するためのもので、ニュースサーバーがブログサーバーにトラックバックメッセージを伝達できるトラックバック連動手段を含むことで、使用者は、ニュースサーバーのコメントとブログサーバーのブログ掲示物との間のトラックバックを設定し、ニュースコメントとして作成した文を自身のブログに保存して持続的に管理することができ、文字数が制限される従来のコメントと比較して、写真及び音楽などの多様なマルチメディアと長文の文章の記載が可能なブログ掲示物形態でコメントが提供されるので、より深度のあるニュースに対する世論形成に寄与できるニュース及びブログ相互間のトラックバックが可能なニュースサーバー及び相互間連動方法を提供することを目的とする。
【０００９】
本発明の実施例によると、トラックバックが設定されたニュースコメントを使用者が選択する場合、該当のニュースコメントが作成されたブログ掲示物をニュースサーバーが活性化させることで、自身のブログとニュースコメントとの連動によって、大衆が用いるニュースサービスの使用者を自身のブログに誘引することができ、自身のブログとの連動によって、無責任な悪口または誹謗を間接的に防止できるニュース及びブログ相互間のトラックバックが可能なニュースサーバー及び相互間連動方法を提供することを他の目的とする。
【００１０】
本発明の他の実施例によると、ニュースサーバーが使用者端末にニュース本文別にトラックバックのためのニュース本文ＵＲＬ情報を提供することで、使用者が自身のブログで作成されたニュースコメントをニュースサーバーに容易にトラックバックできるニュース及びブログ相互間のトラックバックが可能なニュースサーバー及び相互間連動方法を提供することを他の目的とする。
【００１１】
本発明の他の実施例によると、ニュースサーバーが、使用者がニュースコメントをトラックバックしたブログサーバーにニュース本文テキストまたはニュース本文ＵＲＬ情報をさらに伝送し、ブログサーバーが、該当のテキストまたはＵＲＬ情報をニュースコメントが記載されたブログ掲示物にさらに含ませることで、ブログを探した他の使用者が、該当のブログ掲示物がどのニュースに関するコメントであるかを容易に確認できるニュース及びブログ相互間のトラックバックが可能なニュースサーバー及び相互間連動方法を提供することを他の目的とする。
【００１２】
本発明の他の実施例によると、使用者別に予め自身がトラックバックを設定しようとするブログを指定することで、ニュースコメントに対するトラックバック設定時、ニュースサーバーが自動的に指定ブログを活性化させる（アクティブにする）ことで、トラックバック設定のために使用者が自身のブログのＵＲＬアドレスを直接入力する面倒な手順が必要でないニュース及びブログ相互間のトラックバックが可能なニュースサーバー及び相互間連動方法を提供することを他の目的とする。
【００１３】
本発明の他の実施例によると、使用者が使用者別に複数のブログを指定ブログに指定し、ニュースコメント作成時に複数のブログのうち少なくとも一つ以上を選択することで、複数のブログを運営する使用者の場合にも、コメントの性格または趣旨によってトラックバックされるブログを容易に選択できるニュース及びブログ相互間のトラックバックが可能なニュースサーバー及び相互間連動方法を提供することを他の目的とする。
【００１４】
本発明の他の実施例によると、ニュースサーバーが、使用者が指定したブログを構成するカテゴリーリスト及び公開権限リストを予め受信し、ニュースコメント作成時にニュースコメントが掲示されるブログカテゴリー及び公開権限を使用者が選択するようにし、ブログサーバーが、該当のカテゴリー及び公開権限によってニュースコメントを掲示することで、使用者は、自身が運営するブログのカテゴリー及び公開権限に符合するニュースコメントを効果的に掲示し、ブログ運営の便宜性を向上できるニュース及びブログ相互間のトラックバックが可能なニュースサーバー及び相互間連動方法を提供することを他の目的とする。
【００１５】
本発明の他の実施例によると、ニュースコメント作成時、ニュースに対する賛成、反対、異議提起などの使用者のニュースに対する評価をさらに受けることで、使用者がニュースコメント作成前にニュースに対する評価を熟考するように強制するので、即興的でかつ感情的なニュースコメントによるニュース掲示板の内容上の質的低下を防止できるニュース及びブログ相互間のトラックバックが可能なニュースサーバー及び相互間連動方法を提供することを他の目的とする。
【００１６】
最後に、本発明の他の実施例によると、使用者の選択によってニュースコメントを該当記者の記事ブログにトラックバックすることで、使用者は、該当の記事を作成した記者への記事に対するより具体的な問い合わせ、訂正要請、反駁などが可能であり、該当の記者は、自身が作成したニュースに対する使用者たちの反応を即時に確認し、世論の方向を参考にすることができるので、記者と読者との間の緊密なネットワークを形成できるニュース及びブログ相互間のトラックバックが可能なニュースサーバー及び相互間連動方法を提供することを他の目的とする。
【課題を解決するための手段】
【００１７】
上述した目的を達成するために、ニュースサーバーが提供するニュースとブログサーバーが提供するブログ相互間の連動方法は、前記ニュースサーバーが前記ニュースサーバーに接続された使用者端末に所定のニュース本文を提供する段階と；前記ニュースサーバーが、前記使用者端末から前記ニュース本文に対するニュースコメントが作成されるブログに対する選択要請を受信する段階と；前記ニュースサーバーが前記ブログサーバーを通して前記選択要請されたブログを活性化させる段階と；前記ブログサーバーが前記使用者端末によって作成される前記ニュースコメントを受信し、これをブログ掲示物として登録する段階と；前記ブログサーバーが前記使用者端末から前記ニュースコメントに対するトラックバック要請を受信し、前記ニュースサーバーにトラックバックを要請する段階と；前記ニュースサーバーが前記ニュースコメントをニュース掲示板に登録する段階と；を含むことを特徴とする。
【００１８】
本発明の一実施例によって、ニュース及びブログ相互間のトラックバックを可能にするニュースサーバーは、前記ニュースサーバーに接続される使用者端末にニュース本文を提供するニュース本文提供手段と；前記使用者端末から前記ニュース本文に対するニュースコメントの入力を受け、入力された前記ニュースコメントを前記使用者端末に提供するニュースコメント提供手段と；ブログサーバーからトラックバックされたブログ掲示物を前記ニュースコメント提供手段に登録するトラックバック連動手段と；を含むことを特徴とする。
【発明の効果】
【００１９】
本発明に係るニュース及びブログ相互間のトラックバックが可能なニュースサーバー及び相互間連動方法は、ニュースサーバーがブログサーバーにトラックバックメッセージを伝達できるトラックバック連動手段を含むことで、使用者は、ニュースサーバーのコメントとブログサーバーのブログ掲示物との間のトラックバックを設定し、ニュースコメントとして作成した文を自身のブログに保存して持続的に管理することができ、文字数が制限される従来のコメントと比較して、写真及び音楽などの多様なマルチメディアと長文の文章記載が可能なブログ掲示物形態でコメントが提供されるので、より深度のあるニュースに対する世論形成に寄与できるという効果を提供する。
【００２０】
本発明の実施例に係るニュース及びブログ相互間のトラックバックが可能なニュースサーバー及び相互間連動方法は、トラックバックが設定されたニュースコメントを使用者が選択する場合、該当のニュースコメントが作成されたブログ掲示物をニュースサーバーが活性化させることで、自身のブログとニュースコメントとの連動によって、大衆が用いるニュースサービスの使用者を自身のブログに誘引することができ、自身のブログとの連動によって、無責任な悪口または誹謗を間接的に防止できるという効果を提供する。
【００２１】
本発明他の実施例に係るニュース及びブログ相互間のトラックバックが可能なニュースサーバー及び相互間連動方法は、ニュースサーバーが使用者端末にニュース本文別にトラックバックのためのニュース本文ＵＲＬ情報を提供することで、使用者が自身のブログで作成されたニュースコメントをニュースサーバーに容易にトラックバックできるという効果を提供する。
【００２２】
本発明の他の実施例に係るニュース及びブログ相互間のトラックバックが可能なニュースサーバー及び相互間連動方法は、使用者がニュースコメントをトラックバックしたブログサーバーに、ニュースサーバーがニュース本文テキストまたはニュース本文ＵＲＬ情報を追加的に伝送し、ブログサーバーが、該当のテキストまたはＵＲＬ情報をニュースコメントが記載されたブログ掲示物にさらに含ませることで、ブログを探した他の使用者が該当のブログ掲示物がどのニュースに関するコメントであるかを容易に確認できるという効果を提供する。
【００２３】
本発明の他の実施例に係るニュース及びブログ相互間のトラックバックが可能なニュースサーバー及び相互間連動方法は、使用者別に予め自身がトラックバックを設定しようとするブログを指定することで、ニュースコメントに対するトラックバック設定時、ニュースサーバーが自動的に指定ブログを活性化させることで、トラックバック設定のために、使用者が自身のブログのＵＲＬアドレスを直接入力する面倒な手順が必要でないニュース及びブログ相互間のトラックバックが可能であるという効果を提供する。
【００２４】
本発明の他の実施例に係るニュース及びブログ相互間のトラックバック連動方法は、使用者が、使用者別に複数のブログを指定ブログとして指定し、ニュースコメント作成時に複数のブログのうち少なくとも一つ以上を選択することで、複数のブログを運営する使用者の場合にも、コメントの性格または趣旨によってトラックバックされるブログを容易に選択できるニュース及びブログ相互間のトラックバックが可能であるという効果を提供する。
【００２５】
本発明の他の実施例に係るニュース及びブログ相互間のトラックバック連動方法は、ニュースサーバーが、使用者によって指定されたブログを構成するカテゴリーリスト及び公開権限リストを予め受信し、ニュースコメント作成時にニュースコメントが掲示されるブログカテゴリー及び公開権限を使用者が選択するようにし、ブログサーバーが該当のカテゴリー及び公開権限によってニュースコメントを掲示することで、使用者は、自身が運営するブログのカテゴリー及び公開権限に符合するニュースコメントを効果的に掲示し、ブログ運営の便宜性を向上できるニュース及びブログ相互間のトラックバックが可能であるという効果を提供する。
【００２６】
本発明の他の実施例に係るニュース及びブログ相互間のトラックバック連動方法は、ニュースコメントの作成時、ニュースに対する賛成、反対、異議提起などの使用者のニュース評価をさらに受けることで、使用者がニュースコメント作成前にニュースに対する評価を熟考するように強制するので、即興的でかつ感情的なニュースコメントによるニュース掲示板の内容上の質的低下を防止できるという効果を提供する。
【００２７】
最後に、本発明の他の実施例に係るニュース及びブログ相互間のトラックバック連動方法は、使用者の選択によってニュースコメントを該当記者のブログにニュースコメントをトラックバックすることで、使用者は、該当の記事を作成した記者への記事に対するより具体的な問い合わせ、訂正要請、反駁などが可能であり、該当の記者は、自身が作成したニュースに対する使用者たちの反応を即時に確認し、世論の方向を参考にすることができるので、記者と読者との間の緊密なネットワークを形成できるという効果を提供する。
【発明を実施するための最良の形態】
【００２８】
上述した目的及びその他の目的と本発明の特徴及び利点は、添付された図面と関連した次の詳細な説明を通して一層明確になるだろう。以下、添付された図面を参照して、本発明の実施例を詳細に説明する。
【００２９】
図１は、本発明の実施例に係るニュース及びブログ相互間のトラックバック連動システムを示している。トラックバック連動システムは、通信網を通して相互通信可能な少なくとも一つ以上の使用者端末３００、少なくとも一つ以上のブログサーバー２００及びニュースサーバー１００を含んで構成される。使用者端末３００は、インターネットなどの通信網に接続できるコンピュータ、ＰＤＡ、携帯用ＩＴ装備または移動電話機などである。ブログサーバー２００は、使用者端末に個人化されたウェブページに対する製作、管理、アップデートなどのサービスを提供する従来のブログサーバーと同一であり、図２に示すように、ブログサービス提供手段２１０及び第１トラックバック連動手段２３０を含んで構成される。ブログサービス提供手段２１０は、使用者端末３００からブログ掲示物５００の入力を受けて掲示する通常のブログサービスを提供し、第１トラックバック連動手段２３０は、他の使用者とブログとのトラックバックサービスを提供する機能を行う。第１トラックバック連動手段２３０は、同一のブログサーバー２００に提供される他のブログのみならず、通信網に接続される他のブログサーバー２５０とのトラックバックサービスを提供することができる。
【００３０】
ニュースサーバー１００は、ニュース本文提供手段１１０、ニュースコメント提供手段１２０及び第２トラックバック連動手段１３０を含んで構成される。ニュース本文提供手段１１０は、従来の場合と同様に、使用者端末３００にニュース本文（ｎｅｗｓ＿ａｒｔｃ）を提供する機能を行う。ニュース本文（ｎｅｗｓ＿ａｒｔｃ）は、図３に示すように、ニュースサーバー１００に接続した使用者端末３００のディスプレイ上に表示される形態で提供される。
【００３１】
ニュースコメント提供手段１２０は、使用者端末３００からニュース本文（ｎｅｗｓ＿ａｒｔｃ）に対するニュースコメント（ｎｅｗｓ＿ｃｍｔ）の入力を受けて、入力されたニュースコメント（ｎｅｗｓ＿ｃｍｔ）を使用者端末３００に提供する機能を行う。さらに、ニュースコメント提供手段１２０は、ニュースコメント入力手段１２２、ニュースコメントデータベース１２４及びニュースコメント出力手段１２６を含んで構成される。
【００３２】
ニュースコメント入力手段１２２は、使用者端末３００からニュースコメント（ｎｅｗｓ＿ｃｍｔ）の入力を受けるためのニュースコメント入力インターフェース４２０を使用者端末３００に提供する機能を行い、ニュースコメントデータベース１２４は、入力されたニュースコメント（ｎｅｗｓ＿ｃｍｔ）をニュース本文（ｎｅｗｓ＿ａｒｔｃ）別に区分して保存する機能を行い、ニュースコメント出力手段１２６は、ニュース本文（ｎｅｗｓ＿ａｒｔｃ）別に少なくとも一つ以上のニュースコメント（ｎｅｗｓ＿ｃｍｔ）を使用者端末３００に提供するためのニュースコメント出力インターフェース４３０を提供する機能を行う。
【００３３】
第２トラックバック連動手段１３０は、第１トラックバック連動手段２３０と通信し、ブログ掲示物５１０とニュースコメント（ｎｅｗｓ＿ｃｍｔ）４３５との間のトラックバックサービスを提供する機能を行う。ブログサーバー２００の第１トラックバック連動手段２３０とニュースサーバー１００の第２トラックバック連動手段１３０は、トラックバック要請時、相手側にトラックバック・ピング（ｔｒａｃｋ  ｐｉｎｇ）を伝送し、受信側がそれによって回答する方法で相互連動される。
トラックバック要請時に送信されるトラックバック・ピングは、次のように構成することができる。
【００３４】
POST http://www.blog.naver.com/trackback/5
Content-Type:application/x-www-form-urlencoded;charset=utf-8
title=Foo+Bar&url=
【００３５】
ここで、ｔｉｔｌｅは、ブログ掲示物５１０の題目またはニュースコメント（ｎｅｗｓ＿ｃｍｔ）の題目で、ｅｘｃｅｒｐｔは、ブログ掲示物５１０の本文またはニュースコメント（ｎｅｗｓ＿ｃｍｔ）の本文の全体または一部で、ｕｒｌは、原本文に対するＵＲＬ住所を表しているが、ニュースサーバー１００を通して作成されたニュースコメント（ｎｅｗｓ＿ｃｍｔ）をブログサーバー２００にトラックバックする場合には、該当のニュースコメント（ｎｅｗｓ＿ｃｍｔ）が掲示されたＨＴＭＬページのＵＲＬ住所が設定され、ブログサーバー２００を通して作成されたブログ掲示物５１０をニュースサーバー１００にトラックバックする場合には、該当のブログ掲示物５１０が掲示されたＨＴＭＬページのＵＲＬ住所が設定される。
【００３６】
一方、トラックバック・ピング（ｔｒａｃ＿ｐｉｎｇ）を通してトラックバックの要請を受けたニュースサーバー１００またはブログサーバー２００は、受信されたトラックバック・ピング（ｔｒａｃ＿ｐｉｎｇ）の有効性を検証し、有効である場合には、ブログ掲示板またはニュースコメント掲示板に該当の掲示物を掲示した後、トラックバック成功メッセージを伝送し、そうでない場合にはトラックバック失敗メッセージを伝送する。
【００３７】
一方、トラックバック・ピング（ｔｒａｃ＿ｐｉｎｇ）に付加的な情報をさらに含んで伝送する場合、ニュース及びブログ相互間のトラックバックサービスでより多様な機能を具現することができる。以下、図３乃至図６に基づいて、それぞれの場合を説明する。
【００３８】
図３は、本発明の実施例に係るニュース及びブログ相互間のトラックバック連動を説明する図である。ニュースサーバー１００は、図３の左側のような画面を使用者端末３００に提供する。ニュースサービス画面は、ニュース本文４１０、ニュースコメント出力インターフェース４３０及びニュースコメント入力インターフェース４２０を含んで構成される。それぞれの構成要素は、図示したように、一つの画面の構成要素として提供されることもでき、使用者の選択によってそれぞれの構成要素がポップ-アップまたは画面転換などの方法で転換されるように構成することもできる。
【００３９】
ブログサーバー２００は、図３の右側のような画面を使用者端末３００に提供する。ブログサービス画面は、ブログ掲示物５１０及び画面の一側に備わるブログカテゴリー５３０を含んで構成される。
【００４０】
ニュースサーバー１００とブログサーバー２００との間のトラックバックが設定された場合、使用者が、ニュースサーバー１００またはブログサーバー２００のうち一側を選択して文を作成し、これを他側にトラックバックすることで、図３に示すように、同一の内容のニュースコメント４３５とブログ掲示物５１０がそれぞれのサーバー１００，２００で提供される。
【００４１】
まず、ニュースサーバー１００が提供するニュースコメント入力インターフェース４２０を用いて使用者端末３００がニュースコメント（ｎｅｗｓ＿ｃｍｔ）を作成し、これをブログサーバー２００にトラックバックする実施例を説明する。このために、ニュースコメント入力インターフェース４２０は、ニュースコメント（ｎｅｗｓ＿ｃｍｔ）の入力を受けるニュースコメント入力部４２１，４２２と、入力されたニュースコメント（ｎｅｗｓ＿ｃｍｔ）の特定ブログへのトラックバック可否を決定するトラックバック選択部４２３を含んで構成される。
【００４２】
このとき、ブログサーバー２００とのトラックバックを設定するために、ニュースサーバー１００は、使用者がトラックバックを望むブログのトラックバックＵＲＬを知るべきであるが、図４では、トラックバック選択部４２３が使用者端末３００からトラックバックしようとするブログのＵＲＬ住所の入力を受けるＵＲＬ住所入力ウィンドウをさらに含んで構成される実施例を示している。
【００４３】
より好ましくは、図５に示すように、別途のＵＲＬ住所入力ウィンドウを備えなくても、ニュースサーバー１００が、使用者別に使用者がトラックバックを望むブログに対するＵＲＬ情報を含む指定ブログ情報（ｂｌｏｇ＿ｉｎｆｏ）を保存する使用者情報データベースをさらに含んで構成され、第２トラックバック連動手段１３０は、使用者がトラックバック選択部４２３を選択する場合、指定ブログ情報（ｂｌｏｇ＿ｉｎｆｏ）によってニュースコメント入力部４２１，４２２を通して入力されたニュースコメント（ｎｅｗｓ＿ｃｍｔ）をトラックバックするように構成することができる。このような実施例によると、使用者がニュースコメント（ｎｅｗｓ＿ｃｍｔ）を作成する時ごとに、自身のブログのＵＲＬ情報を直接入力する不便さを解消できるという効果がある。
【００４４】
一方、複数のブログ（ブログ１、ブログ２）を運営する使用者の場合、ニュース本文の内容によって、例えば、政治ニュースはブログＡに、ＩＴ関連ニュースはブログＢにトラックバックし、自身のニュースコメント（ｎｅｗｓ＿ｃｍｔ）に対するブログを通したより専門的な管理が可能になるように、図６に示すように、使用者情報データベース１４０は、使用者別に複数の指定ブログ情報を保存し、トラックバック選択部４２３は、前記トラックバック選択部が選択される場合、前記使用者端末３００から前記複数の指定ブログ情報のうち少なくとも一つ以上の選択（４２４）を受け、第２トラックバック連動手段１３０は、選択された指定ブログ情報（ｓｅｌ＿ｂｌｏｇ＿ｉｎｆｏ）によってニュースコメント入力部４２１，４２２を通して入力されたニュースコメントをトラックバックすることがさらに好ましい。
【００４５】
ほとんどのブログサービスの場合、使用者が主題によってブログ掲示物を区分して掲示できるように、図３に示すように、ブログカテゴリー５３０を設定するように構成されている。使用者がブログサーバー２００を通して既に指定しておいたブログカテゴリー５３０によってニュースコメント（ｎｅｗｓ＿ｃｍｔ）をトラックバックできるように、図７に示すように、トラックバック選択部４２３は、使用者端末３００から指定ブログ情報（ｂｌｏｇ＿ｉｎｆｏ）に該当するブログのカテゴリー５３０の選択を、図示したプル-ダウンメニュー４２５などを通して受け、第２トラックバック連動手段１３０は、選択されたカテゴリー情報（ｂｌｏｇ＿ｃｔｇｒ＿ｉｎｆｏ）をさらに含んでニュースコメント（ｎｅｗｓ＿ｃｍｔ）をトラックバックし、ブログサービス提供手段２１０は、選択されたカテゴリーにニュースコメント（ｎｅｗｓ＿ｃｍｔ）をブログ掲示物５１０として掲示することがさらに好ましい。この場合、ニュースサーバー１００は、指定ブログ情報（ｂｌｏｇ＿ｉｎｆｏ）によって予めブログサーバー２００から該当ブログのカテゴリー情報を受け、ニュースコメント作成時、使用者端末３００にカテゴリー情報を提供しなければならない。このような実施例によると、使用者は、自身のブログにトラックバックされたニュースコメント（ｎｅｗｓ＿ｃｍｔ）をブログカテゴリーの設定に符合するように再び分類する不便さを解消することができる。
【００４６】
最近のブログサービスは、ブログ掲示物別に公開権限を設定し、個人の私生活侵害を防止している。不特定多数が接続可能なブログサービスの特性上、個人の思想または個人の私生活情報の流出を防止するために、使用者がニュースコメント（ｎｅｗｓ＿ｃｍｔ）作成時に予め公開権限を設定することが好ましい。このために、図７に示すように、トラックバック選択部４２３は、使用者端末３００から指定ブログ情報（ｂｌｏｇ＿ｉｎｆｏ）に該当するブログでの公開権限の選択（４２５）をさらに受け、第２トラックバック連動手段１３０は、選択された公開権限情報（ｂｌｏｇ＿ｐｒｖ＿ｉｎｆｏ）をさらに含んでニュースコメント（ｎｅｗｓ＿ｃｍｔ）をトラックバックし、ブログサービス提供手段２１０は、選択された公開権限によってニュースコメントを掲示する。その結果、使用者がニュースコメント（ｎｅｗｓ＿ｃｍｔ）の作成後に再び自身のブログに接続し、トラックバックされたニュースコメント（ｎｅｗｓ＿ｃｍｔ）の公開権限を設定すべきであるという不便さを解消することができる。使用者の便宜性を一層向上させるために、ニュースコメントの作成時、トラックバック選択部４２３の公開設定は、デフォルトとして"公開"が基本的に設定され、"非公開"は、使用者の選択によってニュースコメント作成時またはニュースコメント登録後にニュースサーバー１００またはブログサーバー２００を通して変更するように構成することができる。
【００４７】
一方、従来には、ニュース本文を読んだ読者は、該当のニュースを取材した記者にニュース内容に対する一層詳細な情報を要請したり、ニュース内容に対する反論、抗議、激励などのフィード-バックをするために、該当の新聞社に電話して担当の記者と直接通話をしたり、別途のＥ-メールアプリケーションを駆動して該当記者のＥ-メールに該当内容を伝送すべきであった。しかしながら、このような方法は、読者ごとに時間と努力が必要であるので、極一部の読者のみが自身の意見を記者にフィード-バックすることができた。しかし、本発明の実施例によると、図８に示すように、ニュース本文提供手段１１０は、ニュース本文を作成した記者の記事ブログ情報（記者ブログ情報）１１４をさらに含んでニュース本文を提供し、トラックバック選択部４２３は、使用者端末３００から記事ブログにニュースコメントをトラックバックするかどうかに対する選択（４２７）をさらに受け、第２トラックバック連動手段１３０は、記事ブログへのトラックバックを選択した場合、記事ブログ情報（ｐｒｓｓ＿ｂｌｏｇ＿ｉｎｆｏ）によってニュースコメント入力部４２０を通して入力されたニュースコメント（ｎｅｗｓ＿ｃｍｔ）をトラックバックするように構成することで、より多くの使用者が便利に該当記者にニュースに対する自身の意見を直接フィード-バックできるシステムを提供する。
【００４８】
以下、ブログサーバー２００を通してブログ掲示物５１０を作成し、これをニュースコメント（ｎｅｗｓ＿ｃｍｔ）としてニュースサーバー１００にトラックバックする実施例を説明する。ブログサーバー２００からニュースサーバー１００へのトラックバックは、従来のブログサーバー２００，２５０間のトラックバックと類似している。ブログ上でニュースサーバー１００にトラックバックするためには、まず、ニュースコメント（ｎｅｗｓ＿ｃｍｔ）を作成しようとするニュース本文に対するトラックバック情報を知るべきである。このために、本発明では、図９に示すように、ニュース本文提供手段１１０は、ニュース本文（ｎｅｗｓ＿ａｒｔｃ）が掲示されるニュース本文ＵＲＬ情報を含むニュース本文トラックバック情報４１１をさらに含んでニュース本文を提供することが好ましい。これによって、使用者は、自身のブログに接続してブログ掲示物５１０の形態でニュースコメントを作成し、これを受けたニュース本文トラックバック情報４１１によってニュースサーバー１００にトラックバックする。ニュースサーバー１００の第２トラックバック連動手段１３０は、ブログサーバー２００の第１トラックバック連動手段２３０からのトラックバック要請によって、該当ニュース本文のニュースコメント出力手段１２６を通して、ブログサーバー２００から伝送されたブログ掲示物を出力する。このような実施例によると、使用者は、習熟したブログのブログ掲示物入力インターフェースを用いて多様なマルチメディアなどが混合されたニュースコメント（ｎｅｗｓ＿ｃｍｔ）を作成できるという効果がある。
【００４９】
このとき、使用者がニュースサーバーを通しニュース本文を読む途中に他のウェブブラウザを活性化し、自身のブログに接続してブログ掲示物を作成する面倒さを解消するために、図５に示すように、ニュースコメント入力インターフェース４２０は、指定ブログ活性化選択部４２８をさらに含み、使用者端末３００が指定ブログ活性化選択部４２８を選択する場合、指定ブログ情報（ｂｌｏｇ＿ｉｎｆｏ）によって指定ブログをポップ-アップまたは画面転換などの方法で活性化することがさらに好ましい。
【００５０】
ニュースコメント（ｎｅｗｓ＿ｂｌｏｇ）とブログ掲示物５１０が連動される場合、ニュースコメント（ｎｅｗｓ＿ｃｍｔ）は、該当ニュース本文の下端に掲示されるように、ニュース本文と密接に関連しているが、ブログ掲示物５１０の場合、ニュース本文を使用者が一緒に掲示しない限り、他の使用者がブログ掲示物５１０の内容を理解することが難しいという問題がある。このような問題を解決するために、第２トラックバック連動手段１３０は、ニュースコメントとブログ掲示物との間のトラックバックが設定された場合、ニュースコメントの属するニュース本文テキストまたはニュース本文のＵＲＬ情報（ｎｅｗｓ＿ａｒｔｃ＿ｉｎｆｏ）を第１トラックバック連動手段２３０に伝送し、ブログサービス提供手段２１０は、図３に示すように、ニュースコメント（ｎｅｗｓ＿ｃｍｔ）とのトラックバックが設定されたブログ掲示物５１０にニュース本文テキストまたは前記ニュース本文のＵＲＬ情報を含むニュース本文接続情報５２０をさらに表示することが好ましい。このとき、ニュース本文テキストまたはニュース本文のＵＲＬ情報（ｎｅｗｓ＿ａｒｔｃ＿ｉｎｆｏ）は、ニュースサーバー１００からブログサーバー２００にトラックバックする場合にはトラックバック・ピング（ｔｒａｃ＿ｐｉｎｇ）に、ブログサーバー２００からニュースサーバー１００にトラックバックする場合には、トラックバック・ピング（ｔｒａｃ＿ｐｉｎｇ）に対する応答時に第１トラックバック連動手段２３０に伝送する。
【００５１】
以下、作成されたニュースコメント（ｎｅｗｓ＿ｃｍｔ）を使用者に提供するニュースコメント出力手段１２６に対して説明する。ニュースコメント出力手段１２６が使用者端末３００に提供するニュースコメント出力インターフェース４３０は、図１０に示すように、ニュースコメント（ｎｅｗｓ＿ｃｍｔ）のリストを出力するニュースコメントリスト出力部４３１と、ニュースコメント（ｎｅｗｓ＿ｃｍｔ）を作成した使用者のＩＤ、パーソナコン（ｐｅｒｓｏｎａｃｏｎ）または別称のうち少なくとも何れか一つをニュースコメント（ｎｅｗｓ＿ｃｍｔ）別に表示する作成者情報表示部４３２と、ブログとのトラックバックが設定されたニュースコメント（ｎｅｗｓ＿ｃｍｔ）を表示するトラックバック情報表示部４３３と、を含んで構成される。トラックバック情報表示部４３３は、ニュースコメントリスト上で特定のニュースコメントがブログとトラックバック設定されていることを知らせる一方、トラックバックが設定されたブログにリンクをかける役割も行うことが好ましい。例えば、使用者端末３００がトラックバック情報表示部４３３をクリックなどの方法で選択する場合、トラックバックが設定されたブログをポップ-アップまたは画面転換などの方法で活性化するように構成し、多数のニュースサービス利用者とブログ運営者との間のネットワークを形成することができる。
【００５２】
一方、ニュースコメント入力部１２２は、ニュースコメント（ｎｅｗｓ＿ｃｍｔ）の題目及びニュースコメント（ｎｅｗｓ＿ｃｍｔ）本文を区分して受け、ニュースコメント出力インターフェース４３０は、ニュースコメント（ｎｅｗｓ＿ｃｍｔ）の題目リストのみを使用者端末３００に提供し、使用者端末の選択によってニュースコメント（ｎｅｗｓ＿ｃｍｔ）の本文を選択的に提供するように構成することができる。また、使用者端末３００の選択によってトラックバックが設定されたニュースコメント（ｎｅｗｓ＿ｃｍｔ）のみをフィルタリングして選択的に出力するように構成することもできる。
【００５３】
以下、図１１を参照して、本発明の実施例に係るニュース及びブログ相互間のトラックバック連動方法を説明する。まず、使用者端末３００が通信網を通してニュースサーバー１００に接続すると（Ｓ１００）、ニュースサーバー１００は、使用者端末３００にニュース本文やニュース本文に対して既に作成されているニュースコメントを提供する（Ｓ２００）。以後、ニュースサーバー１００は、使用者端末３００がニュースサーバー１００を用いてニュースコメントを作成するか、ブログサーバー２００を用いてニュースコメントを作成するかに対する選択要請を受信し（Ｓ２５０）、使用者端末３００がニュースサーバー１００を用いてニュースコメントを作成すると（Ｓ３００）、作成されたニュースコメントをニュース掲示板に登録する（Ｓ３２０）。以後、ニュースサーバー１００は、使用者端末３００から作成されたニュースコメントに対するトラックバック要請が受信されるかどうかを判断し（Ｓ３４０）、トラックバック要請が受信される場合、該当のブログサーバー２００にトラックバック・ピングを伝送し（Ｓ４００）、ブログサーバー２００は、トラックバックされたニュースコメントをブログ掲示物として登録するようになる（Ｓ５００）。
【００５４】
一方、Ｓ２５０段階で、使用者端末３００がブログサーバー２００を通してニュースコメントを入力することを選択した場合、ニュースサーバー１００は、予め指定された使用者のブログを活性化させることで、使用者端末３００をブログサーバー２００に接続させる（Ｓ８００）。一実施例において、使用者端末３００が該当のブログサーバー２００に接続する前に、ニュースサーバー１００がニュース本文のＵＲＬ情報を含むニュース本文トラックバック情報を使用者端末３００に伝送することで、ブログを用いて作成されたニュースコメントがトラックバックされるニュース本文のＵＲＬを使用者が容易に入力することができる。次に、ブログサーバー２００に接続された使用者端末３００が該当のニュース本文に対するニュースコメントをブログ掲示物の形態で作成すると、ブログサーバー２００は、作成されたニュースコメントをブログ掲示物として登録する（Ｓ９００）。以後、ブログサーバー２００は、使用者端末３００からブログ掲示物として登録されたニュースコメントに対するトラックバック要請が受信されるかどうかを判断し（Ｓ９２０）、トラックバック要請が受信される場合、ニュースサーバー１００にトラックバック・ピングを伝送し（Ｓ９４０）、ニュースサーバー１００は、トラックバックされたブログ掲示物をニュース掲示板に登録する（Ｓ１０００）。
【００５５】
上述した図１１のニュース及びブログ相互間のトラックバック連動方法（プロセス）のうちブログサーバー２００のトラックバック処理の信号フローチャートを示した図１２を参照して、ブログサーバー２００でのトラックバック処理を詳細に説明する。図１２に図示したように、ニュースサーバー１００が予め指定された使用者のブログを活性化させることで、使用者端末３００をブログサーバー２００に接続させる（Ｓ８００）。
【００５６】
次に、使用者端末３００が、ブログサーバー２００が提供するブログサービスを用いてニュースコメント（ｎｅｗｓ＿ｃｍｔ）を作成する第２段階を行い、ブログサーバー２００が、ニュースコメント（ｎｅｗｓ＿ｃｍｔ）を作成されたブログ掲示物として登録し（Ｓ９００）、ニュースサーバー１００にトラックバックを要請（ｔｒａｃ＿ｐｉｎｇ）する第３段階（Ｓ９４０）を行う。
【００５７】
最後に、ニュースサーバー１００がトラックバック要請されたニュースコメント（ｎｅｗｓ＿ｃｍｔ）をニュース掲示板に登録する第４段階（Ｓ１０００）を行う。
【００５８】
登録されたニュースコメント（ｎｅｗｓ＿ｃｍｔ）を他の使用者が閲覧しようとする場合、トラックバックが設定されたニュースコメント（ｎｅｗｓ＿ｃｍｔ）は、一般的なニュースコメントと異なるように、図３に示すように、該当のニュースコメント（ｎｅｗｓ＿ｃｍｔ）が作成されたブログ掲示物が直ぐ活性化されるように構成することが好ましい。このために、使用者端末３００がニュースサーバー１００に接続し、ニュース掲示板に登録されたニュースコメントを選択する第５段階と、使用者端末３００が選択したニュースコメントが前記ブログサーバー２００からトラックバックされた場合、ニュースサーバー１００が、該当のニュースコメント（ｎｅｗｓ＿ｃｍｔ）が登録されたブログ掲示物を活性化する第６段階とを順次的に実行するように構成する。例えば、図３に示すように、ニュースサーバー１００は、トラックバックされたニュースコメント（ｎｅｗｓ＿ｃｍｔ）の題目を該当のブログ掲示物に接続するためのＵＲＬ情報とリンクさせ、使用者端末３００が該当のニュースコメント（ｎｅｗｓ＿ｃｍｔ）をクリックすると、該当のブログ掲示物をポップ-アップまたは画面転換の方法で活性化させることができる。
【００５９】
一方、使用者が自身のブログサービスを通してニュースコメント（ｎｅｗｓ＿ｃｍｔ）を作成するためには、該当のニュースコメント（ｎｅｗｓ＿ｃｍｔ）が掲示されるニュース本文のＵＲＬ情報を知るべきであるが、このために、図１２に示すように、ニュース及びブログ間のトラックバック連動方法は、ニュースサーバー１００が使用者端末３００にニュースコメント（ｎｅｗｓ＿ｃｍｔ）が掲示されるニュース本文のニュース本文ＵＲＬ情報を含むニュース本文トラックバック情報（ｔｒａｃ＿ｉｎｆｏ）を予め提供する第７段階（Ｓ７００）をさらに含み、第２段階で、使用者端末３００は、ブログ掲示物の作成時にブログサーバー２００にニュース本文トラックバック情報（ｔｒａｃ＿ｉｎｆｏ）をさらに伝送し、第３段階で、ブログサーバー２００は、ニュース本文トラックバック情報（ｔｒａｃ＿ｉｎｆｏ）及びニュースコメント（ｎｅｗｓ＿ｃｍｔ）を含んでニュースサーバー１００にトラックバックを要請し（Ｓ９４０）、第４段階で（Ｓ１０００）、ニュースサーバー１００は、ニュース本文トラックバック情報（ｔｒａｃ＿ｉｎｆｏ）によってニュースコメント（ｎｅｗｓ＿ｃｍｔ）を該当のニュース本文のニュース掲示板に登録することが好ましい。このような実施例によると、使用者は、別途の面倒な手順なしにトラックバックのためのニュース本文のＵＲＬ情報を知ることができるという効果がある。
【００６０】
しかしながら、ブログ掲示物にニュースコメント（ｎｅｗｓ＿ｃｍｔ）のみがブログ掲示物として掲示され、ニュース本文の内容が掲示されないと、ニュースサーバー１００を通して該当のブログ掲示物に接続していない使用者の場合、該当のブログ掲示物の内容を理解することが難しいという問題がある。したがって、ニュースコメント（ｎｅｗｓ＿ｃｍｔ）の属するニュース本文に対する情報は、ブログ掲示物に含まれることがさらに好ましい。このために、ニュース及びブログ相互間のトラックバック連動方法は、第４段階以後（Ｓ１０００）に、ニュースサーバー１００がブログサーバー２００にニュースコメント（ｎｅｗｓ＿ｃｍｔ）の属するニュース本文テキストまたはニュース本文のＵＲＬ情報（ｎｅｗｓ＿ａｒｔｃ＿ｉｎｆｏ）を伝送する第８段階（Ｓ１０１０）と、ブログサーバー２００がブログ掲示物にニュース本文テキストまたはニュース本文のＵＲＬ情報（ｎｅｗｓ＿ａｒｔｃ＿ｉｎｆｏ）に接続できるリンク情報５２０をさらに登録する第９段階（Ｓ１０２０）と、をさらに含んで構成される。このような実施例によると、図３に示すように、ブログ掲示物は、ニュースコメント（ｎｅｗｓ＿ｃｍｔ）だけでなく、ニュース本文に対する情報も一緒に提供することができる。
【００６１】
ニュースコメント（ｎｅｗｓ＿ｃｍｔ）を作成する行為は、一般的に、ニュースサービスを通してニュース本文を読む途中に発生する。ところが、ブログサーバー２００を通してニュースコメント（ｎｅｗｓ＿ｃｍｔ）をトラックバックするためには、自身のブログを別途のウェブブラウザを通して実行すべきであるという不便さがある。このような問題を解決するためには、予め自身が連動しようとするブログをニュースサーバー１００に指定し、自身のブログを一層容易に活性化させることが好ましい。このために、ニュース及びブログ相互間のトラックバック連動方法は、使用者端末３００がニュースサーバー１００に自身が連動しようとするブログサービスのＵＲＬ情報を含む指定ブログ情報（ｂｌｏｇ＿ｉｎｆｏ）を登録する第１０段階をさらに含み、第１段階（Ｓ８００）は、使用者端末３００がニュースサーバー１００に接続してニュースコメントを作成しようとする場合、ニュースサーバー１００が指定ブログ情報（ｂｌｏｇ＿ｉｎｆｏ）によって該当のブログサービスを活性化するように構成することができる。このような実施例によると、使用者は、自身のブログに接続するための別途の手順なしに、ニュースサーバー１００によって自身のブログに自動的に接続できるという効果がある。
【００６２】
次に、図１１に示したニュース及びブログ相互間のトラックバック連動方法のうちニュースサーバー１００のトラックバック処理の信号フローチャートを示した図１３を参照して、ニュースサーバー１００でのトラックバック処理を詳細に説明する。
【００６３】
まず、ニュースサーバー１００が使用者端末３００にニュースコメント（ｎｅｗｓ＿ｃｍｔ）作成のためのニュースコメント入力インターフェースを提供し、使用者端末１００がニュースコメントを作成する（Ｓ３００）。このとき、ニュースサーバー１００が複数の指定ブログ情報（ｂｌｏｇ＿ｉｎｆｏ）を保存する場合、使用者端末３００は、指定ブログを選択する情報（ｓｅｌ＿ｂｌｏｇ＿ｉｎｆｏ）をさらに入力し、ブログのカテゴリーまたは公開権限を設定しようとする場合、該当の情報（ｂｌｏｇ＿ｃｔｇｒ＿ｉｎｆｏ、ｂｌｏｇ＿ｐｒｖ＿ｉｎｆｏ）をさらに入力し、ニュース本文の記者ブログにニュースコメントをトラックバックしようとする場合、該当の情報をさらに入力することができる。
【００６４】
また、図７に示すように、ニュースコメントを分類する基準となるニュースに対するニュース評価４２９の入力をさらに受けることができる。ニュース評価の入力４２９は、ニュースに対する賛成、反対、異議提起、その他の項目の選択を受けるように構成できるが、このような実施例によると、使用者がニュースに対する評価をニュースコメント作成前に熟考するように強制するので、即興的でかつ感情的なニュースコメントによるニュース掲示板の内容上の質的低下を防止できるという効果がある。
【００６５】
次に、ニュースサーバー１００がニュースコメント入力インターフェース４２０によって入力されたニュースコメント（ｎｅｗｓ＿ｃｍｔ）を該当のニュース掲示板に登録し、記事ブログがさらに選択された場合には、記事ブログサーバー２００にニュースコメント（ｎｅｗｓ＿ｃｍｔ）をトラックバックする（Ｓ４００）。
【００６６】
最後に、ブログサーバー２００がトラックバックされたニュースコメント（ｎｅｗｓ＿ｃｍｔ）をブログ掲示物として登録する（Ｓ５００）。
【００６７】
このような実施例によると、使用者端末３００は、自身のブログサービスに接続しなくても、自身がニュースサーバー１００で作成したニュースコメント（ｎｅｗｓ＿ｃｍｔ）を自身のブログに保管して管理できるという効果がある。
【００６８】
上記のような本発明の好ましい実施例は、例示のために開示されたもので、当業者であれば、本発明の思想と範囲内で多様な修正、変更及び付加などが可能であり、このような修正及び変更などは、特許請求の範囲に属するものと見なすべきである。
【図面の簡単な説明】
【００６９】
【図１】本発明の実施例に係るニュース及びブログ相互間のトラックバック連動システムの構成図である。
【図２】本発明の実施例に係るニュースサーバー及びブログサーバーの詳細構成図である。
【図３】本発明の実施例に係るトラックバックサービスの概念図である。
【図４】本発明の実施例に係るニュースコメント入力インターフェースの画面構成図である。
【図５】本発明の実施例に係るニュースコメント入力インターフェースの画面構成図である。
【図６】本発明の実施例に係るニュースコメント入力インターフェースの画面構成図である。
【図７】本発明の実施例に係るニュースコメント入力インターフェースの画面構成図である。
【図８】本発明の実施例に係るニュースコメント入力インターフェースの画面構成図である。
【図９】本発明の実施例に係るニュース本文トラックバック情報提供画面構成図である。
【図１０】本発明の実施例に係るニュースコメント出力インターフェースの画面構成図である。
【図１１】本発明の実施例に係るニュース及びブログ相互間のトラックバック連動方法のフローチャートである。
【図１２】本発明の実施例に係るブログサーバーのトラックバック処理信号フローチャートである。
【図１３】本発明の実施例に係るニュースサーバーのトラックバック処理信号フローチャートである。
【図１】
2009524144.tif 000003
【図２】
2009524144.tif 000004
【図３】
2009524144.tif 000005
【図４】
2009524144.tif 000006
【図５】
2009524144.tif 000007
【図６】
2009524144.tif 000008
【図７】
2009524144.tif 000009
【図８】
2009524144.tif 000010
【図９】
2009524144.tif 000011
【図１０】
2009524144.tif 000012
【図１１】
2009524144.tif 000013
【図１２】
2009524144.tif 000014
【図１３】
2009524144.tif 000015
【国際調査報告】
2009524144.tif 000016
2009524144.tif 000017